(57)【要約】【課題】走査線の左右にドライバを配置する従来手法の場合、立ち上がり立ち下がり特性を改善できる一方でコストや消費電力が増加する。【解決手段】アクティブマトリクス駆動型表示デバイスのデータ線駆動回路に、各水平走査期間の開始点と終了点のデータ線印加電位を、信号電圧の黒レベル電位よりスイッチ素子のオン電位側に位置する任意の基準電圧値にリセットする機能を搭載する。この際、走査線駆動回路には、スイッチ素子のオン期間を、データ線の電位が信号電位に維持されている期間内に制御する機能を搭載する。【選択図】図５
2008152178.tif 000002
【特許請求の範囲】
【請求項１】
アクティブマトリクス駆動型表示デバイスに使用するデータ線駆動回路において、
各水平走査期間の開始点と終了点のデータ線印加電位を、信号電圧の黒レベル電位よりスイッチ素子のオン電位側に位置する任意の基準電圧値にリセットする
ことを特徴とするデータ線駆動回路。
【請求項２】
請求項１に記載のデータ線駆動回路において、
スイッチ素子がＮチャネル型の場合、前記基準電圧値はスイッチ素子のオン電位以上に設定される
ことを特徴とするデータ線駆動回路。
【請求項３】
請求項１に記載のデータ線駆動回路において、
スイッチ素子がＰチャネル型の場合、前記基準電圧値はスイッチ素子のオン電位以下に設定される
ことを特徴とするデータ線駆動回路。
【請求項４】
請求項１に記載のデータ線駆動回路において、
スイッチ素子がＮチャネル型の場合、前記基準電圧値は信号電圧の白レベル以上に設定される
ことを特徴とするデータ線駆動回路。
【請求項５】
請求項１に記載のデータ線駆動回路において、
スイッチ素子がＰチャネル型の場合、前記基準電圧値は信号電圧の白レベル以下に設定される
ことを特徴とするデータ線駆動回路。
【請求項６】
請求項１に記載のデータ線駆動回路において、
スイッチ素子がＮチャネル型の場合、前記基準電圧値は、信号電圧値をＬレベルからＨレベルに立ち上げる際の時定数τの４分の１時点に対応する電圧値以上に設定する
ことを特徴とするデータ線駆動回路。
【請求項７】
請求項１に記載のデータ線駆動回路において、
スイッチ素子がＰチャネル型の場合、前記基準電圧値は、信号電圧値をＨレベルからＬレベルに立ち下げる際の時定数τの４分の１時点に対応する電圧値以下に設定される
ことを特徴とするデータ線駆動回路。
【請求項８】
アクティブマトリクス駆動型表示デバイスを駆動する走査線駆動回路において、
各水平走査期間の開始点と終了点のデータ線印加電位が、信号電圧の黒レベル電位よりスイッチ素子のオン電位側に位置する任意の基準電圧値にリセットされる場合に、スイッチ素子のオン期間を、データ線の電位が信号電位に維持されている期間内に制御する
ことを特徴とする走査線駆動回路。
【請求項９】
アクティブマトリクス駆動方式に対応した画素構造を有する表示デバイスと、
各水平走査期間の開始点と終了点のデータ線印加電位を、信号電圧の黒レベル電位よりスイッチ素子のオン電位側に位置する任意の基準電圧値にリセットするデータ線駆動回路と、
スイッチ素子のオン期間を制御する走査線駆動回路と
を有することを特徴とする表示装置。
【請求項１０】
請求項９に記載の表示装置において、
前記走査線駆動回路は、スイッチ素子のオン期間を、データ線の電位が信号電位に維持される期間より短く制御する
ことを特徴とする表示装置。
【請求項１１】
請求項９に記載の表示装置において、
前記表示デバイスは、非自発光表示デバイスである
ことを特徴とする表示装置。
【請求項１２】
請求項９に記載の表示装置において、
前記表示デバイスは、自発光表示デバイスである
ことを特徴とする表示装置。
【請求項１３】
請求項９に記載の表示装置において、
前記表示デバイスは、エレクトロルミネセンス型の表示デバイスである
ことを特徴とする表示装置。
【請求項１４】
アクティブマトリクス駆動方式に対応した構造を有する表示デバイスと、
各水平走査期間の開始点と終了点のデータ線印加電位を、信号電圧の黒レベル電位よりスイッチ素子のオン電位側に位置する任意の基準電圧値にリセットするデータ線駆動回路と、
スイッチ素子のオン期間を制御する走査線駆動回路と、
信号処理部と
を有することを特徴とする電子機器。
【請求項１５】
アクティブマトリクス駆動型表示デバイスのデータ線駆動方法であって、
各水平走査期間の開始点と終了点のデータ線印加電位を、信号電圧の黒レベル電位よりスイッチ素子のオン電位側に位置する任意の基準電圧値にリセットする
ことを特徴とするデータ線駆動方法。
【請求項１６】
アクティブマトリクス駆動型表示デバイスの走査線駆動方法であって、
各水平走査期間の開始点と終了点のデータ線印加電位が、信号電圧の黒レベル電位よりスイッチ素子のオン電位側に位置する任意の基準電圧値にリセットされる場合に、スイッチ素子のオン期間を、データ線の電位が信号電位に維持されている期間より短く制御する
ことを特徴とする走査線駆動方法。
【請求項１７】
アクティブマトリクス駆動型表示デバイスにおけるデータ線の駆動タイミングを制御するコンピュータに、
各水平走査期間の開始点と終了点のデータ線印加電位を、信号電圧の黒レベル電位よりスイッチ素子のオン電位側に位置する任意の基準電圧値にリセットする処理を実行させる
ことを特徴とするコンピュータプログラム。
【請求項１８】
各水平走査期間の開始点と終了点のデータ線印加電位が、信号電圧の黒レベル電位よりスイッチ素子のオン電位側に位置する任意の基準電圧値にリセットされる場合にあって、アクティブマトリクス駆動型表示デバイスにおける走査線の駆動タイミングを制御するコンピュータに、
スイッチ素子のオン期間を、データ線の電位が信号電位に維持されている期間より短く制御させる
ことを特徴とするコンピュータプログラム。
【発明の詳細な説明】
【技術分野】
【０００１】
この明細書で説明する発明は、アクティブマトリクス駆動型表示デバイスの駆動技術に関する。なお、ここでの発明は、データ線駆動回路、走査線駆動回路、表示装置、電子機器、データ線駆動方法、走査線駆動方法及びコンピュータプログラムとしての側面を有する。
【背景技術】
【０００２】
フラットパネル型の表示デバイスの大画面化と高精細化はますます進む方向にある。これに伴い、パネル表示素子の駆動周波数に対する信号遅延や駆動信号の立ち上がり立ち下り特性（周波数特性）の劣化が問題となっている。
【０００３】
図１に、アクティブマトリクス駆動型表示デバイスで使用される書き込み信号ＷＳの立ち上がり立ち下がり特性を示す。
なお、図１（Ａ）は、データ線に印加される信号電位の波形を示す。図１（Ｂ）は、第ｉ番目の走査線に接続される画素のうち走査線ドライバの近くに位置する画素に印加される書き込み信号ＷＳの信号波形例を示す。
【０００４】
図１（Ｃ）は、第ｉ番目の走査線に接続される画素回路のうち走査線ドライバから遠く離れた位置の画素に印加される書き込み信号ＷＳの信号波形例を示す。図１（Ｄ）は、第ｉ＋１番目の走査線に接続される画素のうち走査線ドライバの近くに位置する画素に印加される書き込み信号ＷＳの信号波形例を示す。
【０００５】
図１（Ｅ）は、第ｉ＋１番目の走査線に接続される画素のうち走査線ドライバから遠く離れた位置の画素に印加される書き込み信号ＷＳの信号波形例を示す。図１（Ｆ）は、水平同期信号ＨＳの信号波形例を示す。
【０００６】
信号電圧値の各画素に対する書き込みは、書き込み信号ＷＳがＨレベルに立ち上がった後に実行される。しかし、図１に破線で囲んで示すように、走査線ドライバに対する距離が長くなると書き込み信号ＷＳの波形が鈍りが大きくなる。すなわち、同じ走査線上に位置する画素間でも書き込み信号ＷＳがＨレベルの立ち上がりに位相差が発生する。
【０００７】
この位相差の発生は、配線長の違いに伴う配線容量の違いと、駆動周波数の高まりに伴うスイッチ素子のゲートドレン間容量Ｃgdの増大に起因すると考えられる。
そこで、駆動周波数に対する立ち上がり立ち下がり特性の改善を目的として、駆動ラインを両側から駆動する方法が提案されている。
【特許文献１】特開２００５−３４５９１０号公報
【発明の開示】
【発明が解決しようとする課題】
【０００８】
しかし、両側駆動は立ち上がり立ち下がり特性を改善できるプラス面がある一方で、製造コストや消費電力が増加するマイナス面がある。また、駆動周波数が上がるほど消費電力が上昇し易いマイナス面もある。従って、各種特性の改善とコスト面その他とのバランスに優れた技術の提案が求められる。
【課題を解決するための手段】
【０００９】
そこで、発明者は、アクティブマトリクス駆動型表示デバイスに使用するデータ線駆動回路として、各水平走査期間の開始点と終了点のデータ線印加電位を、信号電圧の黒レベル電位よりスイッチ素子のオン電位側に位置する任意の基準電圧値にリセットする機能を有するものを提案する。
【００１０】
また、発明者は、アクティブマトリクス駆動型表示デバイスを駆動する走査線駆動回路として、各水平走査期間の開始点と終了点のデータ線印加電位が、信号電圧の黒レベル電位よりスイッチ素子のオン電位側に位置する任意の基準電圧値にリセットされる場合に、スイッチ素子のオン期間を、データ線の電位が信号電位に維持されている期間より短く制御する機能を有するものを提案する。
【発明の効果】
【００１１】
発明者の提案する発明の場合、スイッチ素子にオン電位が印加される前に、信号電圧の電位が基準電圧値（信号電圧の黒レベルよりスイッチ素子のオン電位側の電位）に制御される。この制御により、走査線から見たスイッチ素子の寄生容量を小さくできる。かくして、消費電力の増加を伴うことなく、スイッチ素子の立ち上がり立ち下がり特性や位相遅延を改善することができる。
【発明を実施するための最良の形態】
【００１２】
以下、アクティブマトリクス駆動型の有機ＥＬディスプレイ装置に好適なデータ線及び走査線の駆動制御例を説明する。
なお、本明細書で特に図示又は記載されない部分には、当該技術分野の周知又は公知技術を適用する。
また以下に説明する形態例は、発明の一つの形態例であって、これらに限定されるものではない。
【００１３】
（Ａ）有機ＥＬディスプレイ装置の全体構成
図２に、有機ＥＬディスプレイ装置１の主要構成部分を示す。有機ＥＬディスプレイ装置１は、有機ＥＬパネル３、データ線ドライバ５及び走査線ドライバ７を主要な構成要素とする。なお、有機ＥＬディスプレイ装置１は、タイミング信号の発生に必要なタイミングジェネレータ等も搭載する。
【００１４】
有機ＥＬパネル３は、画素１１が基体上にマトリクス状に配置された自発光型の表示デバイスである。この形態例の場合、有機ＥＬパネル３はカラー表示用であり、画素１１は発光色別に配置される。ただし、画素１１が複数色の発光層を積層した構造の有機ＥＬ素子の場合、１つの画素１１が複数の発光色に対応する。
【００１５】
図３に、データ線ＤＬと走査線ＷＬとの交点位置に形成される画素１１と駆動回路との接続関係を示す。
画素１１は、スイッチ素子Ｔ１、キャパシタＣ、電流ドライブ素子Ｔ２及び有機ＥＬ素子Ｄで構成される。
【００１６】
スイッチ素子Ｔ１は、データ線ＤＬに印加された信号電圧のキャパシタＣへの書き込みを制御するトランジスタである。書き込み信号ＷＳは、走査線ドライバ７から走査線ＷＬを通じて各スイッチ素子Ｔ１に供給される。
【００１７】
キャパシタＣは、書き込まれた信号電圧を１フレームの間保持する記憶素子である。キャパシタＣを用いることで、信号電圧の書き込みが線順次に実行される場合でも、面順次走査方式で書き込まれる場合と同様の発光態様が実現される。
【００１８】
電流ドライブ素子Ｔ２は、キャパシタＣに保持されている信号電圧に応じた駆動電流を有機ＥＬ素子Ｄに供給するトランジスタである。ここでの駆動電流値は、電流ドライブ素子Ｔ２のゲートソース間に印加される電圧Ｖgsにより定まる。
【００１９】
データ線ドライバ５は、有機ＥＬパネル３のデータ線ＤＬを駆動する回路デバイスである。図４に、データ線ドライバ５の内部構成例を示す。データ線ドライバ５は、各画素に対応する映像信号値（ディジタル値）Ｄinを信号電圧値Ｖinに変換するディジタル／アナログ変換器２１と、リセット用の基準信号値（ディジタル値）Ｄref を基準電圧値Ｖref に変換するディジタル／アナログ変換器２３と、スイッチ回路２５で構成される。
【００２０】
この形態例の場合、基準電圧値Ｖref は、信号電圧値Ｖinの可変電圧範囲のうち最も電位が高い白レベル電圧値Ｖw である。
スイッチ回路２５は、不図示のタイミングジェネレータから与えられる切り替え制御信号に基づいて信号電圧値Ｖin又は基準電圧値Ｖref をデータ線ＤＬに出力する回路デバイスである。
【００２１】
スイッチ回路２５は、少なくとも水平走査期間の開始点と終了点において、データ線ＤＬの電位が基準電圧値Ｖref にリセットされるように切り替え動作を実行する。具体的には、電位の遷移時間を考慮して設定された時点に基準電圧値Ｖref への切り替え動作を実行する。
【００２２】
図５（Ａ）に、データ線ＤＬに印加される電位ＶＤの変化を示す。図５（Ａ）に示すように、水平走査期間の開始点と終了点の電位ＶＤは、映像信号値の白レベル電位（＝Ｖref ）に必ずリセットされる。なお、その他の信号期間における電位は、画素１１の応答特性に伴って遷移する。因みに、図５（Ｆ）は、水平走査期間を規定する水平同期信号ＨＳである。
【００２３】
走査線ドライバ７は、信号電圧値Ｖinの書き込みタイミングを与える回路デバイスである。走査線ドライバ７は、水平同期信号ＨＳが入力されるたび１つ走査線を選択的に書き込み可能状態に制御する。この形態例の場合、走査線ドライバ７は、水平走査期間Ｔ０より短い期間Ｔ１だけスイッチ素子Ｔ１にオン電位を印加する。
【００２４】
なお、オン電位の印加タイミングは、不図示のタイミングジェネレータにより供給される。
図５（Ｂ）〜図５（Ｅ）に、書き込み信号ＷＳの信号波形例を示す。図５（Ｂ）は、第ｉ番目の走査線ＷＬに接続される画素１１のうち走査線ドライバ７の近くに位置する画素１１（図２の場合、右側に位置する画素）に印加される書き込み信号ＷＳの信号波形例を示す。
【００２５】
図５（Ｃ）は、第ｉ番目の走査線ＷＬに接続される画素１１のうち走査線ドライバ７から遠く離れた位置の画素１１（図２の場合、左側に位置する画素）に印加される書き込み信号ＷＳの信号波形例を示す。図５（Ｄ）は、第ｉ＋１番目の走査線ＷＬに接続される画素１１のうち走査線ドライバ７の近くに位置する画素１１に印加される書き込み信号ＷＳの信号波形例を示す。
【００２６】
図５（Ｅ）は、第ｉ＋１番目の走査線ＷＬに接続される画素１１のうち走査線ドライバ７から遠く離れた位置の画素１１に印加される書き込み信号ＷＳの信号波形例を示す。
図５（Ｂ）及び（Ｄ）に示すように、書き込み信号ＷＳがオン電位にある期間Ｔ１は、水平走査期間Ｔ０よりも短くなっていることが分かる。
【００２７】
勿論、走査線ドライバ７の近くに位置する各画素の書き込み時間は、従来例（図１）に比して短くなる。しかし、図５（Ｃ）及び（Ｅ）に示すように、走査線ドライバ７から遠く離れた位置の各画素の書き込み時間は、従来例（図１）と同じかそれ以上に確保できている。
【００２８】
これは、駆動周波数に対する立ち上がり立ち下がり特性が改善するためである。すなわち、この形態例で提案する駆動方法により、スイッチ素子Ｔ１の応答性が改善されるためである。この応答特性の改善原理は以下の現象に基づいている。
【００２９】
走査線ＷＬに書き込み信号ＷＳ（Ｈレベル）を印加する前に、既にデータ線ＤＬに白レベルの信号電圧値Ｖｗ（＝Ｖref ）が印加されている場合、スイッチ素子Ｔ１のデータ線ＤＬ側が常にドレインとなる。従って、走査線ＷＬからは、図６に示すようにスイッチ素子Ｔ１のキャパシタＣ側に寄生する容量Ｃgsだけが見える状態になる。
【００３０】
すなわち、スイッチ素子Ｔ１のデータ線ＤＬ側に寄生する容量Ｃgdは、実質的にゼロかキャパシタＣ側の容量Ｃgsに比して無視できる状態になる。このため、走査線ＷＬから見た時定数τを小さくことができる。
【００３１】
結果として、書き込み信号ＷＳを立ち上げる際又は立ち下げる際のスイッチ素子Ｔ１の応答性が改善する。すなわち、有機ＥＬパネル３の解像度や駆動周波数が上がっても、特別な配線パターンや駆動回路を増やすことなく、十分な書き込み時間を確保することができる。この結果、画像品質が向上する。
【００３２】
また、走査線ＷＬ上の画素位置に関わらず、画素間における書き込み位相差を小さくできる。従って、キャパシタＣ以外に大きな容量素子を有しない有機ＥＬディスプレイ装置１の場合、信号電圧値Ｖinの書き込み時間を積極的に短縮し、信号電圧値Ｖinの書き込み時に消費される電力を小さくすることもできる。
【００３３】
（Ｂ）他の実装例
（Ｂ−１）他の基準電圧例
前述の形態例においては、基準電圧値Ｖref を、信号電圧値Ｖinの白レベル電圧値Ｖw に設定する場合について説明した。
しかし、基準電圧値Ｖref は、有機ＥＬディスプレイ装置１の駆動条件に応じた電圧値に設定できる。
【００３４】
図７に、信号電圧値Ｖinの可変範囲と書き込み信号ＷＳの可変範囲との間に想定される電圧関係の一例を示す。これらの電圧関係は、適用するシステムに応じて選択的に使用される。
図７（Ａ）は、書き込み信号ＷＳのオン電圧（Ｈレベル）が信号電圧値ＶinのＨレベル（白レベル）より小さく、書き込み信号ＷＳのオフ電圧（Ｌレベル）が信号電圧値ＶinのＬレベル（黒レベル）より小さい関係を示す。
【００３５】
図７（Ｂ）は、書き込み信号ＷＳのオン電圧（Ｈレベル）が信号電圧値ＶinのＨレベル（白レベル）より大きく、書き込み信号ＷＳのオフ電圧（Ｌレベル）が信号電圧値ＶinのＬレベル（黒レベル）より小さい関係を示す。
【００３６】
図７（Ｃ）は、書き込み信号ＷＳのオン電圧（Ｈレベル）が信号電圧値ＶinのＨレベル（白レベル）より大きく、書き込み信号ＷＳのオフ電圧（Ｌレベル）が信号電圧値ＶinのＬレベル（黒レベル）より大きい関係を示す。
ただし、いずれの場合も基準電圧値Ｖref は、信号電圧値Ｖinの黒レベル電位より大きい値（スイッチ素子Ｔ１のオン電位よりの値）に設定する。
【００３７】
なお、スイッチ素子Ｔ１がＮチャネルＦＥＴである場合、基準電圧値Ｖrefの設定条件は、図８に示すように信号電圧値ＶinをＬレベルからＨレベルに立ち上げる際の時定数τの４分の１時点に対応する電圧以上であることが望ましい。
【００３８】
図９（Ａ）に、基準電圧値Ｖref を信号電圧値Ｖinのほぼ中間電位に設定する場合を示す。なお、図９（Ｂ）〜図９（Ｆ）は、図５（Ｂ）〜図５（Ｆ）に対応する。この場合、常に中間電位を基点に信号電圧値Ｖinの波形が変化する。瞬間的にキャパシタＣに印加される電圧を小さくできるため、立ち上がり立ち下がり特性の改善に効果的である。
また、基準電圧値Ｖref は、スイッチ素子Ｔ１のオン電位以上に設定しても良い。
【００３９】
この他、基準電圧値Ｖrefは、図１０（Ａ）に示すように、信号電圧値Ｖinの白レベル以上の値に設定しても良い。なお、図１０（Ｂ）〜図１０（Ｆ）は、図５（Ｂ）〜図５（Ｆ）に対応する。
【００４０】
この場合、スイッチ素子Ｔ１のデータ線ＤＬ側は常にドレインとして動作するだけでなく、スイッチ素子Ｔ１のドレインソース間電圧Ｖdsを大きくできる。
すなわち、スイッチ素子Ｔ１を飽和領域で駆動させことができる。従って、スイッチ素子Ｔ１の応答性を一層高い状態に制御することができる。
【００４１】
（Ｂ−２）他の画素構造
前述の形態例においては、スイッチ素子Ｔ１及び電流ドライブ素子Ｔ２の両方がＮチャネルＦＥＴで構成する場合について説明した。
しかし、製造プロセス等に応じて必ずしもこの組み合わせである必要はない。
【００４２】
例えばスイッチ素子Ｔ１スイッチ素子Ｔ１をＮチャネルＦＥＴで構成し、電流ドライブ素子Ｔ２をＰチャネルＦＥＴで構成されても良い。また例えばスイッチ素子Ｔ１をＰチャネルＦＥＴで構成し、電流ドライブ素子Ｔ２をＮチャネルＦＥＴで構成されても良い。
【００４３】
また例えば図１１に示すように、スイッチ素子Ｔ１及び電流ドライブ素子Ｔ２の両方をＰチャネルＦＥＴで構成しても良い。なお、図１１には図３との対応部分に同一符号を付して表している。
【００４４】
この回路構成の場合、信号電圧値Ｖinの可変範囲と書き込み信号ＷＳの可変範囲の間には、例えば図１２に示す関係が想定される。図１２（Ａ）は、書き込み信号ＷＳのオン電圧（Ｌレベル）が信号電圧値ＶinのＬレベル（白レベル）より小さく、書き込み信号ＷＳのオフ電圧（Ｈレベル）が信号電圧値ＶinのＨレベル（黒レベル）より小さい関係を示す。
【００４５】
図１２（Ｂ）は、書き込み信号ＷＳのオン電圧（Ｌレベル）が信号電圧値ＶinのＬレベル（白レベル）より小さく、書き込み信号ＷＳのオフ電圧（Ｈレベル）が信号電圧値ＶinのＨレベル（黒レベル）より大きい関係を示す。
【００４６】
図１２（Ｃ）は、書き込み信号ＷＳのオン電圧（Ｌレベル）が信号電圧値ＶinのＬレベル（白レベル）より大きく、書き込み信号ＷＳのオフ電圧（Ｈレベル）が信号電圧値ＶinのＨレベル（黒レベル）より大きい関係を示す。
【００４７】
ただし、いずれの場合も基準電圧値Ｖref は、信号電圧値Ｖinの黒レベル電位より低い値（スイッチ素子Ｔ１のオン電位側の値）に設定するのが好ましい。
因みに、スイッチ素子Ｔ１がＰチャネルＦＥＴで実現する場合、基準電圧値Ｖrefの設定条件は、信号電圧値ＶinをＨレベルからＬレベルに立ち下げる際の時定数τの４分の１時点に対応する電圧以下であることが望ましい。
【００４８】
図１３に、スイッチ素子Ｔ１と電流ドライブ素子Ｔ２の両方がＰチャネルＦＥＴの場合に好適な駆動例を示す。図１３（Ａ）は、基準電圧値Ｖref を信号電圧値Ｖinの白レベルに設定する場合に、データ線ＤＬに印加される電位ＶＤの信号波形例である。なお、図１３（Ｂ）〜図１３（Ｅ）は書き込み信号ＷＳの波形例を示し、図１３（Ｆ）は水平同期信号ＨＳを示す。
【００４９】
同様に、図１４（Ａ）は、基準電圧値Ｖref を信号電圧値Ｖinのほぼ中間電位に設定する場合に、データ線ＤＬに印加される電位ＶＤの信号波形例である。なお、図１４（Ｂ）〜図１４（Ｆ）は書き込み信号ＷＳの波形例を示し、図１４（Ｆ）は水平同期信号ＨＳを示す。
因みに、基準電圧値Ｖref は、スイッチ素子Ｔ１のオン電位以下に設定しても良い。
【００５０】
この他、基準電圧値Ｖrefは、図１５（Ａ）に示すように、信号電圧値Ｖinの白レベル以下に設定しても良い。なお、図１５（Ｂ）〜図１５（Ｆ）は書き込み信号ＷＳの波形例を示し、図１５（Ｆ）は水平同期信号ＨＳを示す。
【００５１】
（Ｂ−３）製品例
（ａ）ドライブＩＣ
有機ＥＬディスプレイ装置１を構成する有機ＥＬパネル３、データ線ドライバ５及び走査線ドライバ７は、いずれも１つのパネル上に形成することもできるが、ドライバと画素マトリクスとを別々に製造し、流通することもできる。
【００５２】
例えば、データ線ドライバ５及び走査線ドライバ７はそれぞれ独立したドライブＩＣ（integrated
circuit）として製造し、有機ＥＬパネル３とは独立に流通することもできる。
【００５３】
（ｂ）表示モジュール
前述した形態例における有機ＥＬディスプレイ装置１は、中間生成品である表示モジュールの形態で流通することもできる。
【００５４】
図１６に、表示モジュール３１の外観例を示す。表示モジュール３１は、支持基板３５の表面に対向部３３を貼り合わせた構造を有している。対向部３３は、ガラスその他の透明部材を基材とし、その表面にはカラーフィルタ、保護膜、遮光膜等が配置される。
【００５５】
なお、表示モジュール３１には、外部から支持基板３５に信号等を入出力するためのＦＰＣ（フレキシブルプリントサーキット）３７等が設けられていても良い。
【００５６】
（ｃ）電子機器
前述した形態例における有機ＥＬディスプレイ装置１は、電子機器に実装された商品形態でも流通される。
図１７に、電子機器４１の概念構成例を示す。電子機器４１は、前述した有機ＥＬディスプレイ装置１及びシステム制御部４３で構成される。システム制御部４３で実行される処理内容は、電子機器４１の商品形態により異なる。
【００５７】
なお、電子機器４１は、機器内で生成される又は外部から入力される画像や映像を表示する機能を搭載していれば、特定の分野の機器には限定されない。
この種の電子機器４１には、例えばテレビジョン受像機が想定される。図１８に、テレビジョン受像機５１の外観例を示す。
【００５８】
テレビジョン受像機５１の筐体正面には、フロントパネル５３及びフィルターガラス５５等で構成される表示画面５７が配置される。表示画面５７の部分が、形態例で説明した有機ＥＬディスプレイ装置１に対応する。
【００５９】
また、この種の電子機器４１には、例えばデジタルカメラが想定される。図１９に、デジタルカメラ６１の外観例を示す。図１９（Ａ）が正面側（被写体側）の外観例であり、図１９（Ｂ）が背面側（撮影者側）の外観例である。
【００６０】
デジタルカメラ６１は、撮像レンズ（図１９は保護カバー６３が閉じた状態であるので、保護カバー６３の裏面側に配置される。）、フラッシュ用発光部６５、表示画面６７、コントロールスイッチ６９及びシャッターボタン７１で構成される。このうち、表示画面６７の部分が、形態例で説明した有機ＥＬディスプレイ装置１に対応する。
【００６１】
また、この種の電子機器４１には、例えばビデオカメラが想定される。図２０に、ビデオカメラ８１の外観例を示す。
ビデオカメラ８１は、本体８３の前方に被写体を撮像する撮像レンズ８５、撮影のスタート／ストップスイッチ８７及び表示画面８９で構成される。このうち、表示画面８９の部分が、形態例で説明した有機ＥＬディスプレイ装置１に対応する。
【００６２】
また、この種の電子機器４１には、例えば携帯端末装置が想定される。図２１に、携帯端末装置としての携帯電話機９１の外観例を示す。図２１に示す携帯電話機９１は折りたたみ式であり、図２１（Ａ）が筐体を開いた状態の外観例であり、図２１（Ｂ）が筐体を折りたたんだ状態の外観例である。
【００６３】
携帯電話機９１は、上側筐体９３、下側筐体９５、連結部（この例ではヒンジ部）９７、表示画面９９、補助表示画面１０１、ピクチャーライト１０３及び撮像レンズ１０５で構成される。このうち、表示画面９９及び補助表示画面１０１の部分が、形態例で説明した有機ＥＬディスプレイ装置１に対応する。
【００６４】
また、この種の電子機器４１には、例えばコンピュータが想定される。図２２に、ノート型コンピュータ１１１の外観例を示す。
ノート型コンピュータ１１１は、下型筐体１１３、上側筐体１１５、キーボード１１７及び表示画面１１９で構成される。このうち、表示画面１１９の部分が、形態例で説明した有機ＥＬディスプレイ装置１に対応する。
【００６５】
これらの他、電子機器４１には、オーディオ再生装置、ゲーム機、電子ブック、電子辞書等が想定される。
【００６６】
（Ｂ−４）他の表示デバイス例
形態例の説明においては、表示デバイスが有機ＥＬディスプレイ装置１である場合について説明した。
しかし、データ線ドライバ５及び走査線ドライバ７は、その他の自発光表示装置にも適用することができる。例えば無機ＥＬディスプレイ装置、ＬＥＤを配列する表示装置、ＦＥＤディスプレイ装置やＰＤＰディスプレイ装置等にも適用できる。
【００６７】
また、データ線ドライバ５及び走査線ドライバ７は、液晶表示装置等の非自発光表示装置にも適用できる。
図２３に、データ線ＤＬと走査線ＷＬとの交点位置に形成される画素１２１と駆動回路との接続関係を示す。
【００６８】
図２３に示すように、画素１２１の等価回路は、スイッチ素子Ｔ１とキャパシタＣ１として表すことができる。キャパシタＣ１が画素電極と対向電極に挟まれる液晶に対応する。発明者の提案する駆動方法を液晶表示装置に応用する場合にも、書き込み時間を安定的に長く確保することができる。従って、コストの増加を伴うことなく画質の向上を実現できる。
【００６９】
（Ｂ−５）制御デバイス構成
前述の説明では、データ線ドライバ５による基準電圧値Ｖref への切り替えタイミングの制御や走査線ドライバ７によるオフ電圧への切り替えタイミングをハードウェア的に制御する場合について説明した。
しかし、これらの制御タイミングは、ソフトウェア処理を通じて制御しても良い。
【００７０】
（Ｂ−６）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００７１】
【図１】従来の駆動例を示す図である。
【図２】表示デバイスの構造例を示す図である。
【図３】画素の構造例を示す図である。
【図４】データ線ドライバの構造例を示す図である。
【図５】表示デバイスの駆動例を示す図である。
【図６】駆動による容量の見え方を説明する図である。
【図７】想定される電圧関係を例示する図である。
【図８】基準電圧値の設定例を示す図である。
【図９】表示デバイスの他の駆動例を示す図である。
【図１０】表示デバイスの他の駆動例を示す図である。
【図１１】画素の他の構造例を示す図である。
【図１２】想定される他の電圧関係を例示する図である。
【図１３】表示デバイスの他の駆動例を示す図である。
【図１４】表示デバイスの他の駆動例を示す図である。
【図１５】表示デバイスの他の駆動例を示す図である。
【図１６】表示モジュールの構成例を示す図である。
【図１７】電子機器の機能構成例を示す図である。
【図１８】電子機器の商品例を示す図である。
【図１９】電子機器の商品例を示す図である。
【図２０】電子機器の商品例を示す図である。
【図２１】電子機器の商品例を示す図である。
【図２２】電子機器の商品例を示す図である。
【図２３】液晶表示装置の画素構造を示す図である。
【符号の説明】
【００７２】
１        有機ＥＬディスプレイ装置
３        有機ＥＬパネル
５        データ線ドライバ
７        走査線ドライバ
４１      電子機器
【図１】
2008152178.tif 000003
【図２】
2008152178.tif 000004
【図３】
2008152178.tif 000005
【図４】
2008152178.tif 000006
【図５】
2008152178.tif 000007
【図６】
2008152178.tif 000008
【図７】
2008152178.tif 000009
【図８】
2008152178.tif 000010
【図９】
2008152178.tif 000011
【図１０】
2008152178.tif 000012
【図１１】
2008152178.tif 000013
【図１２】
2008152178.tif 000014
【図１３】
2008152178.tif 000015
【図１４】
2008152178.tif 000016
【図１５】
2008152178.tif 000017
【図１６】
2008152178.tif 000018
【図１７】
2008152178.tif 000019
【図１８】
2008152178.tif 000020
【図１９】
2008152178.tif 000021
【図２０】
2008152178.tif 000022
【図２１】
2008152178.tif 000023
【図２２】
2008152178.tif 000024
【図２３】
2008152178.tif 000025